【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
入力する数値の初期値、および限界値としての上限値および下限値が決まっており、一方向に数値を変化させるキーを使っての数値入力方法において、
前記キーが押される度毎に、前記数値を１単位ずつ変化させ、
前記キーが所定時間以上押し続けられると、前記数値を短時間で連続して変化させ、
前記数値が変化している途中で、前記キーが離された時の数値を記憶し、
前記キーが押され続け、前記数値が一方の限界値に達した時、前記数値を他方の限界値に戻させ、
前記数値が前記記憶された数値より所定数前の数値に達した時、前記数値が変化する速さを変えることを特徴とする数値入力方法。
【請求項２】
前記速さを変えることが、速さを所定の割合で遅らせることを含む請求項１に記載の数値入力方法。
【請求項３】
入力する数値の初期値、および限界値としての上限値および下限値が決まっており、一方向に数値を変化させるキーを使っての数値入力方法において、
前記キーが押される度毎に、前記数値を１単位ずつ変化させ、
前記キーが所定時間以上押し続けられると、前記数値を短時間で連続して変化させ、
前記数値が変化している途中で、前記キーが離された時の数値を記憶し、
前記キーが押され続け、前記数値が一方の限界値に達した時、前記数値を他方の限界値に戻させ、
前記数値が前記記憶された数値より所定数前の数値に達した時、前記数値の変化を停止させることを特徴とする数値入力方法。
【請求項４】
入力する個人データの数値の初期値、および限界値としての上限値および下限値が決まっており、一方向に数値を変化させるキーと、前記数値を表示する表示装置と、前記数値を記憶する記憶装置とを有する体脂肪計において、
前記キーが押される度毎に、前記数値を１単位ずつ変化させ前記表示装置に前記数値を表示させ、
前記キーが所定時間以上押し続けられると、前記数値を短時間で連続して変化させ前記表示装置に前記数値を表示させ、
前記数値が変化している途中で、前記キーが離された時の数値を前記記憶装置に記憶し、
前記キーが押され続け、前記数値が一方の限界値に達した時、前記数値を他方の限界値に戻させ、
前記数値が前記記憶された数値より所定数前の数値に達した時、前記数値が変化する速さを変えるようにすることを特徴とする体脂肪計。
【請求項５】
前記速さを変えることが、速さを所定の割合で遅らせることを含む請求項４に記載の体脂肪計。
【請求項６】
前記個人データは、少なくとも身長及び体重を含む請求項４に記載の体脂肪計。
【請求項７】
前記個人データが身長の時は、前記所定数を１０ｃｍとする請求項４に記載の体脂肪計。
【請求項８】
入力する個人データの数値の初期値、および限界値としての上限値および下限値が決まっており、一方向に数値を変化させるキーと、前記数値を表示する表示装置と、前記数値を記憶する記憶装置とを有する体脂肪計において、
前記キーが押される度毎に、前記数値を１単位ずつ変化させ前記表示装置に前記数値を表示させ、
前記キーが所定時間以上押し続けられると、前記数値を短時間で連続して変化させ前記表示装置に前記数値を表示させ、
前記数値が変化している途中で、前記キーが離された時の数値を前記記憶装置に記憶し、
前記キーが押され続け、前記数値が一方の限界値に達した時、前記数値を他方の限界値に戻させ、
前記数値が前記記憶された数値より所定数前の数値に達した時、前記数値が変化する速さを停止さるようにすることを特徴とする体脂肪計。
【請求項９】
前記個人データは、少なくとも身長及び体重を含む請求項８に記載の体脂肪計。
【請求項１０】
前記個人データが身長の時は、前記所定数を１０ｃｍとする請求項８に記載の体脂肪計。
【手続補正２】
【補正対象書類名】明細書
【補正対象項目名】０００９
【補正方法】変更
【補正の内容】
【０００９】
【課題を解決するための手段】
本発明の一つの観点によれば、入力する数値の初期値、および限界値としての上限値および下限値が決まっており、一方向に数値を変化させるキーを使っての数値入力方法において、前記キーが押される度毎に、前記数値を１単位ずつ変化させ、前記キーが所定時間以上押し続けられると、前記数値を短時間で連続して変化させ、前記数値が変化している途中で、前記キーが離された時の数値を記憶し、前記キーが押され続け、前記数値が一方の限界値に達した時、前記数値を他方の限界値に戻させ、前記数値が前記記憶された数値より所定数前の数値に達した時、前記数値が変化する速さを変えることを特徴とする数値入力方法が提供される。
本発明の一つの実施の形態によれば、前記速さを変えることが、速さを所定の割合で遅らせることを含む。
本発明の別の観点によれば、入力する数値の初期値、および限界値としての上限値および下限値が決まっており、一方向に数値を変化させるキーを使っての数値入力方法において、前記キーが押される度毎に、前記数値を１単位ずつ変化させ、前記キーが所定時間以上押し続けられると、前記数値を短時間で連続して変化させ、前記数値が変化している途中で、前記キーが離された時の数値を記憶し、前記キーが押され続け、前記数値が一方の限界値に達した時、前記数値を他方の限界値に戻させ、前記数値が前記記憶された数値より所定数前の数値に達した時、前記数値の変化を停止させることを特徴とする数値入力方法が提供される。
本発明のさらに別の観点によれば、入力する個人データの数値の初期値、および限界値としての上限値および下限値が決まっており、一方向に数値を変化させるキーと、前記数値を表示する表示装置と、前記数値を記憶する記憶装置とを有する体脂肪計において、前記キーが押される度毎に、前記数値を１単位ずつ変化させ前記表示装置に前記数値を表示させ、前記キーが所定時間以上押し続けられると、前記数値を短時間で連続して変化させ前記表示装置に前記数値を表示させ、前記数値が変化している途中で、前記キーが離された時の数値を前記記憶装置に記憶し、前記キーが押され続け、前記数値が一方の限界値に達した時、前記数値を他方の限界値に戻させ、前記数値が前記記憶された数値より所定数前の数値に達した時、前記数値が変化する速さを変えるようにすることを特徴とする体脂肪計が提供される。
本発明の一つの実施の形態によれば、前記速さを変えることが、速さを所定の割合で遅らせることを含む。
本発明の別の実施の形態によれば、前記個人データは、少なくとも身長及び体重を含む。
本発明のさらに別の実施の形態によれば、前記個人データが身長の時は、前記所定数を１０ｃｍとする。
本発明のさらに別の観点によれば、入力する個人データの数値の初期値、および限界値としての上限値および下限値が決まっており、一方向に数値を変化させるキーと、前記数値を表示する表示装置と、前記数値を記憶する記憶装置とを有する体脂肪計において、前記キーが押される度毎に、前記数値を１単位ずつ変化させ前記表示装置に前記数値を表示させ、前記キーが所定時間以上押し続けられると、前記数値を短時間で連続して変化させ前記表示装置に前記数値を表示させ、前記数値が変化している途中で、前記キーが離された時の数値を前記記憶装置に記憶し、前記キーが押され続け、前記数値が一方の限界値に達した時、前記数値を他方の限界値に戻させ、前記数値が前記記憶された数値より所定数前の数値に達した時、前記数値が変化する速さを停止さるようにすることを特徴とする体脂肪計が提供される。
本発明の一つの実施の形態によれば、前記個人データは、少なくとも身長及び体重を含む。
本発明の別の実施の形態によれば、前記個人データが身長の時は、前記所定数を１０ｃｍとする。
【手続補正３】
【補正対象書類名】明細書
【補正対象項目名】００１６
【補正方法】変更
【補正の内容】
【００１６】
【発明の効果】
入力する数値の初期値、および限界値としての上限値および下限値が決まっており、一方向に数値を変化させるキーを使っての数値入力方法において、前記キーが押される度毎に、前記数値を１単位ずつ変化させ、前記キーが所定時間以上押し続けられると、前記数値を短時間で連続して変化させ、前記数値が変化している途中で、前記キーが離された時の数値を記憶し、前記キーが押され続け、前記数値が一方の限界値に達した時、前記数値を他方の限界値に戻させ、前記数値が前記記憶された数値より所定数前の数値に達した時、前記数値が変化する速さを変えるので、目標値で止めようとしても、つい行きすぎてしまった場合、また１周して、更にまた行き過ぎてしまうのを防止し、誤入力をなくすことで、使用者に無駄な時間的、精神的負担を強いることをなくす。また、使用者は急に数値が増えるのが遅くなったのを見て、注意を促される。
入力する数値の初期値、および限界値としての上限値および下限値が決まっており、一方向に数値を変化させるキーを使っての数値入力方法において、前記キーが押される度毎に、前記数値を１単位ずつ変化させ、前記キーが所定時間以上押し続けられると、前記数値を短時間で連続して変化させ、前記数値が変化している途中で、前記キーが離された時の数値を記憶し、前記キーが押され続け、前記数値が一方の限界値に達した時、前記数値を他方の限界値に戻させ、前記数値が前記記憶された数値より所定数前の数値に達した時、前記数値の変化を停止させるので、目標値で止めようとしても、つい行きすぎてしまった場合、また１周して、更にまた行き過ぎてしまうのを防止し、誤入力をなくすことで、使用者に無駄な時間的、精神的負担を強いることをなくす。
入力する個人データの数値の初期値、および限界値としての上限値および下限値が決まっており、一方向に数値を変化させるキーと、前記数値を表示する表示装置と、前記数値を記憶する記憶装置とを有する体脂肪計において、前記キーが押される度毎に、前記数値を１単位ずつ変化させ前記表示装置に前記数値を表示させ、前記キーが所定時間以上押し続けられると、前記数値を短時間で連続して変化させ前記表示装置に前記数値を表示させ、前記数値が変化している途中で、前記キーが離された時の数値を前記記憶装置に記憶し、前記キーが押され続け、前記数値が一方の限界値に達した時、前記数値を他方の限界値に戻させ、前記数値が前記記憶された数値より所定数前の数値に達した時、前記数値が変化する速さを変えるようにするので、１個の一方向に数値を変化するキーＳＷのみの構成で大きな数値をもスピーディに入力することが出来る極めて低コストの入力装置が実現可能となる。
入力する個人データの数値の初期値、および限界値としての上限値および下限値が決まっており、一方向に数値を変化させるキーと、前記数値を表示する表示装置と、前記数値を記憶する記憶装置とを有する体脂肪計において、前記キーが押される度毎に、前記数値を１単位ずつ変化させ前記表示装置に前記数値を表示させ、前記キーが所定時間以上押し続けられると、前記数値を短時間で連続して変化させ前記表示装置に前記数値を表示させ、前記数値が変化している途中で、前記キーが離された時の数値を前記記憶装置に記憶し、前記キーが押され続け、前記数値が一方の限界値に達した時、前記数値を他方の限界値に戻させ、前記数値が前記記憶された数値より所定数前の数値に達した時、前記数値が変化する速さを停止さるようにするので、１個の一方向に数値を変化するキーＳＷのみの構成で大きな数値をもスピーディに入力することが出来る極めて低コストの入力装置が実現可能となる。